(57)【要約】  処理組成物用パッケージであって、このパッケージは、容器；容器と流体連通する分配アセンブリ；光活性剤を有し、容器中に放出可能に収容される処理組成物；及び、容器又は分配アセンブリと機能的に接続された発光体；を含む。表面を処理する方法であって、この方法は：光活性剤を有する処理組成物を容器中に収容するパッケージを提供する工程；処理組成物を処理されるべき表面上に分配する工程；接合部においてパッケージに機能的に接続された発光体を用いて、処理組成物が容器から出た後であるが、処理組成物がパッケージから出る前の時点、処理組成物がパッケージから出た後ではあるが、処理組成物が表面上に沈着する前の時点、及び処理組成物が表面上に沈着した後の時点；からなる群から選択される時点において、処理組成物に光照射する工程；を含む。
2017512628.tif 000002
【特許請求の範囲】
【請求項１】
容器と、
前記容器と流体連通する分配アセンブリと、
光活性剤を含み、前記容器中に放出可能に収容された処理組成物と、
前記容器又は前記分配アセンブリと機能的に接続された発光体と、
を含む、処理組成物用のパッケージ。
【請求項２】
前記分配アセンブリは分配出口を有し、前記発光体は前記分配出口の近位に位置する、請求項１に記載のパッケージ。
【請求項３】
前記分配アセンブリは分配方向を有する分配出口を有し、前記発光体は、前記分配方向に沿う方向又は交差する方向に光を放出するように配置される、請求項１又は２に記載のパッケージ。
【請求項４】
前記容器は不透明である、請求項１〜３のいずれか一項に記載のパッケージ。
【請求項５】
前記分配アセンブリはポンプを備える、請求項１〜４のいずれか一項に記載のパッケージ。
【請求項６】
前記ポンプは、
前記処理組成物と流体連通するチューブと、
分配出口と、
前記チューブと前記分配出口との間の流体連通をもたらす半透明の分配チャンバと、を含み、
前記発光体は、前記分配チャンバ上に光を放出するように配置される、
請求項５に記載のパッケージ。
【請求項７】
前記ポンプは、少なくとも部分的に半透明のハウジング内にある、請求項５又は６に記載のパッケージ。
【請求項８】
前記ポンプは、前記ポンプと機能的に関連するトリガを備え、前記トリガは、前記発光体のスイッチを備える、請求項５〜７のいずれか一項に記載のパッケージ。
【請求項９】
前記容器は、前記分配チャンバと前記容器との間に、不透明の仕切りを含む、請求項６〜８のいずれか一項に記載のパッケージ。
【請求項１０】
前記容器は、大気圧を超える圧力まで加圧される、請求項１〜９のいずれか一項に記載のパッケージ。
【請求項１１】
前記発光体は、３５０ｎｍ〜７５０ｎｍの波長を有する光を放出する、請求項１〜１０のいずれか一項に記載のパッケージ。
【請求項１２】
前記発光体は、１ｍＷ〜５Ｗの放射束を放出する、請求項１〜１１のいずれか一項に記載のパッケージ。
【請求項１３】
前記光活性剤は、キサントン、キサンテン、チオキサントン、チオキサンテン、フェノチアジン、フルオレセイン、ベンゾフェノン、アロキサジン、イソアロキサジン、フラビン、及びこれらの混合物からなる群から選択される、請求項１〜１２のいずれか一項に記載のパッケージ。
【請求項１４】
前記処理組成物は有益活性剤前駆体を含み、前記有益活性剤前駆体は、好ましくは、亜塩素酸塩、塩素酸塩、亜臭素酸塩、臭素酸塩、亜ヨウ素酸塩、ヨウ素酸塩、及びこれらの混合物からなる群から選択される、請求項１〜１３のいずれか一項に記載のパッケージ。
【請求項１５】
光活性剤を含む処理組成物を容器中に収容するパッケージを提供する工程と；前記処理組成物を処理されるべき表面上に分配する工程と；接合部において前記パッケージに機能的に接続された発光体を用いて、前記処理組成物が前記容器から出た後であるが、前記処理組成物が前記パッケージから出る前の時点、前記処理組成物が前記パッケージから出た後ではあるが、前記処理組成物が前記表面上に沈着する前の時点、及び前記処理組成物が前記表面上に沈着した後の時点；からなる群から選択される時点において、前記処理組成物に光照射する工程と；
を含む、表面を処理する方法。
【発明の詳細な説明】
【技術分野】
【０００１】
光活性化処理組成物用パッケージに関する。
【背景技術】
【０００２】
消費者の家庭には、汚れてしまう表面が多くある。例えば、調理によって生じた液体及び固体食物の残遺物又は残余によって調理台が汚されることは珍しいことではない。このような残遺物及び残余は、細菌、カビ、菌類が集団となり得る機会をもたらすことがある。かかる動物相の集団は、見苦しいものであり、それによって不要な匂いが引き起こされ、直接的あるいは間接的にこれらに接触する人々に病気になるリスクをもたらし得る。
【０００３】
汚染表面の洗浄を目的とした、様々な家庭用製品がある。例えば、洗浄組成物を含浸したワイプは、汚染表面を拭き取るのに使用され得る。表面に噴霧し、紙タオル、ワイプ、又はラグで拭き取るように設計された組成物もある。洗浄する必要がある表面に注ぎ、その後に拭き取るように設計された液体組成物もある。表面を洗浄するために、かかる洗浄用具を使用する前に、紙タオル、ワイプ又はラグに注ぐように設計された液体組成物もある。
【０００４】
典型的には、洗浄化合物は、界面活性剤、漂白剤、香料、消毒剤、殺生物剤などの構成要素を１つ以上含有する。典型的な洗浄組成物は、いくつかの洗浄効果を提供するが、多くが望ましいレベルで表面を洗浄し得ない。例えば、塩素系漂白剤を含有する低コストのクリーナーは、消毒及び衛生化能力に限りがある。例えば、かかる系は、生菌のみを殺せるが内生胞子（再活性化するバリアが少ない休眠状態の細菌）は殺せないことが多い。多くの侵襲性殺生物剤は消費者に使用され得るが、侵襲性殺生物剤において、一般的には安全面での懸念が増えている。
【０００５】
食器洗浄及び織物洗浄の分野において、潜在性を示している１つの洗浄アプローチは、光活性化化学反応の使用である。光活性化化学反応は、多くは塩基形態であり、光を使用して処理組成物を活性化するものである。光活性化化学反応の性質に応じて、特定のスペクトル（例えば、紫外線及び可視）が化学反応を活性化するであろう。例えば、水中の微粉化二酸化チタンを光によって活性化し、漂白系とすることができる。スルホン化亜鉛フタロシアニンを含むフタロシアニン及びナフタロシアニンなどの光活性剤は、光漂白剤及び抗菌剤として有効であり得る。
【発明の概要】
【発明が解決しようとする課題】
【０００６】
食器及び織物の洗浄における光活性化化学反応の効率を考慮すると、かかる物品又は同様の表面を洗浄する際、消費者が光活性化化学反応の利益を受けることができる装置が依然として必要とされている。
【課題を解決するための手段】
【０００７】
処理組成物のパッケージであって、このパッケージは、容器と、容器と流体連通する分配アセンブリと、光活性剤を含み、容器中に放出可能に収容された処理組成物と、容器又は分配アセンブリと機能的に接続された発光体と、を含む。
【０００８】
表面を処理する方法であって、光活性剤を含む処理組成物を容器中に収容するパッケージを提供する工程と；処理組成物を洗浄されるべき表面上に分配する工程と；接合部においてパッケージに機能的に接続された発光体を用いて、処理組成物が容器から出た後であるが、処理組成物がパッケージから出る前の時点、処理組成物がパッケージから出た後ではあるが、処理組成物が表面上に沈着する前の時点、及び処理組成物が表面上に沈着した後の時点；からなる群から選択される時点において、処理組成物に光照射する工程と；を含む。
【図面の簡単な説明】
【０００９】
【図１】パッケージの側断面図である。
【図２】底面に光が配置されたパッケージの模式図である。
【図３】分配アセンブリがチューブによって容器に接続しているパッケージの模式図である。
【発明を実施するための形態】
【００１０】
処理組成物２０用のパッケージ１０が図１に示されている。図１は、パッケージ１０の側断面図である。図１において、パッケージ１０は、容器１７０、容器１７０と流体連通する分配アセンブリ１６０を備える。パッケージ１０は、非限定例として、トリガ起動式分配アセンブリ１６０を有するスプレーボトルであり得る。処理組成物２０は、光活性剤を含み得る。
【００１１】
分配アセンブリ１６０は、例えば、ネジ接続部を有する分配アセンブリ１６０及び相補的ネジ接続部を有する容器１７０によって、容器１７０と流体連通され得る。分配アセンブリ１６０を容器１７０に接続する他のアプローチとしては、容器１７０と接続する分配アセンブリ１６０の茎部上に鍔部を提供することである。代替的なアプローチは、容器１７０と噛合し、容器１７０と密封係合する分配アセンブリ１６０を提供するものである。本質的に、分配アセンブリ１６０は、容器１７０中に放出可能に収容される処理組成物２０が、容器１７０から分配アセンブリ１６０まで移送され、分配出口４０から出ることが可能であるように、分配アセンブリ１６０と容器１７０とが流体連通するように、容器１７０に接続され得る。
【００１２】
パッケージ１０は、発光体３０を備え得る。発光体３０は、処理組成物２０を照射するという目的に適合し得る。処理組成物２０は、処理組成物２０がパッケージ１０内にある間か、又は処理組成物２０がパッケージ１０を離れた後に照射され得る。光活性剤を含む処理組成物２０において、発光体３０は、光活性剤を活性化するエネルギーをもたらし得る。
【００１３】
図１に示されるパッケージ１０は、光活性化表面処理組成物を利用する特定の更なる特徴を有する、一般的なスプレーボトルである。図１に示されるように、パッケージ１０は容器１７０を備え得る。容器１７０は、処理組成物２０を収容し得る。容器１７０は、プラスチック製ボトルであり得る。環境光に光活性剤が曝露することを制限するために、容器１７０は不透明であり得る。１つの実施形態では、容器１７０は、不透明なポリプロピレン又はポリエチレンテレフタレートであり得る。かかるポリマーボトルは、ボトルの構成材料にカーボンブラックを含むことで、不透明となり得る。不透明であるということは、完全に放射線透過されたものと比較して、約８０％超、又は約９０％超、又は約９５％超、又は約９９％超で、可視透過率が減少することを意味する。容器１７０は、約２ｎｍ〜約１２００ｎｍ、又は更には約３８０ｎｍ〜約８００ｎｍの波長域における電磁放射線に対して不透明であり得る。あるいは、容器１７０は、非限定例として、一般的にはミルクカートンに提供されるような板紙製カートンであり得る。あるいは、容器１７０は、例えば、ミルクカートンに提供されるような箔が裏打ちされたカートンであり得る。あるいは、容器１７０は、一般的には箱からワインを分配するのに使用されるような箱構造中のバッグであり得る。
【００１４】
容器１７０中の処理組成物２０と分配アセンブリ１６０とを流体連通させるために、チューブ９０が提供され得る。チューブ９０は、容器１７０中の処理組成物２０中に存在する下端、及び分配アセンブリ１６０に接続する上端を有する。処理組成物２０は、チューブ２０の下端と上端との間の圧力差によって、チューブ９０を通って移送され得る。チューブ２０の上端をポンプで吸引することによって、圧力差がもたらされ得る。チューブは、通常は、可撓性プラスチックチューブであり得る。
【００１５】
パッケージ１０は、容器１７０の開口端１５７と機能的に係合する不透明の仕切り１５５を備え得る。例えば、不透明の仕切り１５５は、分配チャンバ６０と容器１７０との間にあり得る。１つの実施形態では、コネクタ１５０は、分配アセンブリ１６０と容器１７０とを接続するためにもたらされ得る。分配アセンブリ１６０の主な構成が第１材料を含み、コネクタ１５０が第２材料を含むと、かかる実施形態は実用的となり得る。不透明なコネクタ１５０及び／又は容器１７０が望ましいため、半透明の分配アセンブリ１６０が使用される場合に、容器１７０とは異なる組成の第１材料の分配アセンブリ１６０を形成することは実用的であり得る。
【００１６】
消費者が分配アセンブリ１６０の内側部分を見ることができることを製造業者が望む場合、又は発光体３０が分配アセンブリ１６０内に提供され、消費者が発光体３０を見ることができることを製造業者が望む場合に、半透明の分配アセンブリ１６０は、実用的であり得る。かかる実施形態では、分配アセンブリ１６０と容器１７０とを接続するコネクタ１５０を提供することは、実用的であり得る。コネクタ１５０は、コネクタ１５０を不透明とするために、不透明の材料から作製され得る。コネクタ１５０及び不透明な仕切り１５５の好適な材料としては、非限定例として、ポリプロピレン、ポリエチレン、金属、又は液体のパッケージングに用いられる任意の他の材料が挙げられる。
【００１７】
コネクタ１５０は、チューブ９０が通るか、又はチューブ９０が接続するチューブ開口部を有し、容器１７０と分配アセンブリ１６０との間に流体連通をもたらす。コネクタ１５０は、ネジ接続、圧縮嵌め、噛合接続、突起と溝、溶媒溶着、接着剤、熱接着、又は要素の接続において当該技術分野で既知の任意の他の技術を介して、容器１７０と分配アセンブリ１６０とを機能的に係合され得る。
【００１８】
分配アセンブリ１６０は、１つ以上の弁１００を備え得る。弁１００は、球継ぎ型逆止弁、ブラダ逆止弁、又は１つの方向への流体移送をもたらし得る任意の他の種類の逆止弁１００であり得る。チューブ９０からの直下流弁１００は、分配出口４０から容器１７０への方向における流体流動を制限し得る。かかる弁１００によって、分配チャンバ６０中に発生する圧力が、分配チャンバ６０から分配出口４０の外に流体を運ぶことが可能となる。
【００１９】
分配アセンブリ１６０は、プラスチック材料から形成され得る。分配アセンブリ１６０は、ポンプ１３８を備え得る。ポンプ１３８は、トリガ１３０、ピストン１４０、シリンダ１２０、分配チャンバ６０、バネ１１０、分配チャンバの直上流弁１００、及び分配チャンバの直下流弁１００を備え得る。
【００２０】
トリガ１３０は、成人のヒトの手の１本以上の指に適合するような大きさ及び寸法であり得る。トリガ１３０は、軸１３２によって、分配アセンブリ１６０のハウジング７０に機能的に関連し得る。任意に、トリガ１３０は、分配アセンブリ１６０のハウジング７０と摺動的に係合され得る。
【００２１】
トリガ１３０は、シリンダ１２０に接続したピストン１４０と機能的に係合され得る。トリガ１３０が押下されると、ピストン１４０及びシリンダ１２０が分配チャンバ６０中に移動して、処理組成物２０が分配出口４０を通って圧送される。分配チャンバ６０と出口４０との間は分配出口４０から分配チャンバ６０への逆流を制限又は消失させる一方向逆止弁１００であり得る。分配チャンバ６０から容器１７０への逆流を制限する一方向逆止弁１００も提供され得る。バネ１１０は、分配チャンバ６０内にあってもよい。あるいは、バネは、処理組成物の排出中にバネが処理組成物２０と接触しないように、分配チャンバ６０の外にあってもよい。バネ１１０は、ハウジング７０とトリガ１３０との間で機能的に関連し得る。
【００２２】
ポンプ１３８は、電池駆動ポンプであってよく、電池はピストン１４０を動かすソレノイドに動力を供給する。任意に、ピストン１４０はダイナモに機能的に接続されて、発光体３０に接続される電池中に保管され得るか、及び／又は発光体３０に直接送達され得る電流を発生し得る。
【００２３】
１つの実施形態では、半透明の分配チャンバ６０は、チューブ９０と分配出口４０との間の流体連通をもたらすために提供され得る。半透明であることは、分配チャンバ６０の１つ以上の壁を可視光が通過し得るか、又は更には透明であることを意味する。１つ以上の発光体３０は、分配チャンバ６０及び分配チャンバ６０の内容物に光を放出し得るパッケージ１０に提供され得る。例えば、１つ以上の発光体３０は、分配チャンバ１６０のハウジング７０内に提供され得る。使用後に、残留した活性化処理組成物２０が分配チャンバ６０中に残ることがあるため、新鮮な処理組成物２０がパッケージ１０から出るように、処理組成物２０を送達する際に、使用者がトリガ１３０を複数回圧送するのが有利であり得る。
【００２４】
ポンプ１３８が半透明のハウジング７０内に収容されるのは、更に有利であり得る。かかる配置によって、パッケージ１０の使用者は、分配チャンバ６０を通って移送される処理組成物２０が発光体３０に活性化されているかを検出することが可能となる。例えば、スイッチ８０は、発光体３０を活性化するために、パッケージ１０上に提供され得る。トリガ１３０は、スイッチ８０を備え得る。使用者はトリガ１３０に力を加えると、スイッチ８０は、１つ以上の発光体３０が点灯するように活性化され得る。使用者は、発光体３０が点灯するのを見ることができる。スイッチ８０は、トリガ１３０に力が加わる際に、使用者の指からの圧力によって起動され得る。圧力で起動されるメカニカルスイッチ８０は、軸１３２、トリガ１３０、シリンダ１２０、バネ１１０、分配チャンバ６０及びピストン１４０からなる群から選択される構成要素と近位で提供され得る。
【００２５】
１つの実施形態では、分配アセンブリ１６０は分配出口４０を有し、発光体３０は分配出口４０の近位に位置する。例えば、発光体３０は、分配出口４０の上部近位、下部近位、又は側部近位に位置する。発光体３０が分配出口４０の近位に位置する実施形態において、発光体３０と分配出口４０は、発光体３０と容器１７０よりも近くにあり得る。発光体３０は、分配出口４０の上部、下部、又は側部にあり得る。
【００２６】
発光体３０は、発光体３０から放出された光が、分配出口４０から出る際に処理組成物２０に照射され得る位置に提供され得る。かかる配置は、処理組成物２０のバイアビリティを保存するのに実用的であり得る。例えば、分配アセンブリ１６０は不透明であってよく、処理組成物２０は、処理組成物２０がパッケージから出た後まで光を受けることはない。理論に縛られるつもりはないが、特定の光活性剤及び製品配合物は、光活性化化学反応と分配アセンブリ１６０の構成材料との間、又はその処方物内の化学的適合性における問題を有し得ると考えられている。したがって、使用の際、使用者はパッケージ１０から処理組成物２０を分配し、処理組成物は、典型的には発光体３０に照射されて光化学反応を活性化する。
【００２７】
発光体３０は、パッケージ１０の分配方向５０に沿う方向又は交差する方向に光を放出するように配置され得る。分配方向５０は、処理組成物２０が分配出口から出る方向とみなされる。処理組成物２０は、非限定例として、液滴のストリーム、スプレー、又は塊で分配出口４０から出ることができる。分配方向５０と並んで光が放出される場合、消費者が処理組成物２０を表面に分配する際には、処理される表面の光が表面に分配される処理組成物２０内の光活性剤を活性化することを意図し得る。レンズ又は鏡を発光体３０の近位に提供し、特定の位置に発光体３０の焦点を合わせることができると考えられている。
【００２８】
任意に、光は、分配方向５０と交差する方向に放出され得る。かかる配置において、処理組成物２０が分配出口４０から出る際、分配出口４０から処理される表面まで処理組成物２０が移動している間に、処理組成物２０は発光体３０を照射され得る。
【００２９】
発光体３０は、電源３２に導通され得る。発光体をもたらす構成要素は、電源３２を含み得る。電源３２は、電池であり得る。電池は、典型的には、ＡＡ、Ｃ、Ｄ、又は他の標準サイズの電池であり得る。電池は、ニッケル−カドミウム、リチウムイオン、又は他の種類の電池であり得る。電源３２は、発光体３０に導通され得る。導通されるということは、電源３２からの力が、例えば、回路で直接接続すること、誘導、又は電源３２からの力を発光体３０に変換する任意の他の既知の技術的アプローチによって、発光体３０に変換され得ることを意味する。電源３２は、発光体３０を含む電気回路中のワイヤ５２を介して接続され得る。オン／オフスイッチ８０、タイマー、又はオンとオフ、輝度、スペクトル、又は発光体３０から放出される光の他の性質を制御し得るプログラム可能な論理制御器、などのより複雑な回路が企図される。電源３２は、例えば、分配アセンブリ１６０内などのパッケージ上のどこかにある電池収納部中に収容される交換可能な電池などによって、交換可能であり得る。
【００３０】
発光体３０は、発光ダイオード、白熱光、タングステン白熱電球、Ｈｇ（Ａｒ）ＵＶランプ、蛍光灯、コンパクト型蛍光灯、冷陰極蛍光灯、高輝度放電ランプ、又は他の光源などであり得る。発光体３０は、処理組成物２０中で光活性剤を活性化する必要があるスペクトルであるスペクトルを放射し得る。電源３２は、発光体３０に必要なレベルで動力を供給するのに十分な力を提供する必要がある。電源３２は、単回使用の電源３２であってよく、又は複数回にわたって使用して発光体３０に動力を与えることのできる電源３２であってもよい。電源３２は、交換可能な電源３２であり得る。例えば、電源３２は交換可能な電池であってよく、パッケージ１０又はこれらの構成要素（分配アセンブリ１６０など）は、電池を収容し、開放可能かつ再閉鎖可能な電池収納部を提供し得る。
【００３１】
発光体３０は、約３８０ｎｍ〜約８００ｎｍの波長を有する光を放出し得る。発光体３０は、約１ｍＷ〜約５Ｗ、あるいは約１ｍＷ〜約１Ｗｍ、あるいは約１０ｍＷ〜約５００ｍＷの放射束を放出し得る。発光体３０は、約３８０ｍＷ〜約８００Ｗ、約１ｍＷ〜約５Ｗｍ、あるいは約１ｍＷ〜約１ｍＷ、あるいは約１０ｍＷ〜約５００ｍＷの波長で放射束を放出し得る。
【００３２】
１つの実施形態では、図２に示すように、発光体３０は容器１７０の底部１７２に機能的に接続され得るのが実用的であり得る。かかる配置において、使用者は、処理されるべき表面上に処理組成物２０を分配した後、かかる表面上にパッケージ１０を保持するだけで、発光体３０が処理され及び／又は洗浄される表面上を照らすことで発光体３０を活性化することができる。発光体３０は、処理組成物２０中の光活性化化学反応を活性化し得る。発光体３０は、使用者がスイッチを起動することで活性化され得るか、又は処理組成物２０がパッケージ１０から分配されるまでに光の活性化を遅らせるプログラム可能な論理制御器によって活性化され得る。
【００３３】
図３に示されるように、分配アセンブリ１６０は、チューブ９０によって容器１７０に接続され得る。この配置において、チューブ９０は、容器１７０と分配アセンブリ１６０との間の流体連通をもたらし得る。かかる配置によって、使用者が、処理組成物２０を異なる場所に分配する際に、容器１７０及びその中に収容される処理組成物２０を動かさずに済むため、分配アセンブリ１６０に優れた移動性が提供され得る。例えば、使用者は、容器２０を左手で持ち、分配アセンブリ１６０を持って望ましい方向に向けるために右手を使用し得る。容器１７０は、容器１７０から延伸するか、又は容器１７０の一部として形成される、使用者が握って容器１７０を保持し得るハンドル１７４を有し得る。
【００３４】
光活性化化学反応は、処理組成物２０中、又は処理組成物２０とともに異なる形態で提供され得る。例えば、光活性化化学反応は、完全に処方された液体又はゲルとして提供され得る。
【００３５】
様々な光化学技術の光活性は、変化し得る。例えば、いくつかの光化学技術は、紫外光及び／又は可視光によって活性化され得る。紫外光が光化学反応を活性化する場合には、使用者が紫外光に曝されないように、発光体３０を分配アセンブリ１６０内に配置することがより実用的であり得る。例えば、分配アセンブリ１６０は不透明なハウジング７０を有してよく、発光体３０はハウジング７０内にあってよい。かかる実施形態では、分配チャンバ６０中の処理組成物２０上を発光体３０が照らすことができるように、全分配チャンバの一部分が半透明であり得る。
【００３６】
処理組成物
処理組成物２０は、洗浄利益をもたらす組成物でもあり得る。処理組成物２０としては、界面活性剤、非カプセル化香料、香料マイクロカプセル、漂白剤、安定剤、抗酸化剤、及びこれらの組み合わせからなる群から選択される構成要素が挙げられる。
【００３７】
光漂白剤
処理組成物２０は、光活性化漂白剤を含み得る。例えば、好適な光活性化漂白剤は、二酸化チタンであり得る。約３８０ｎｍ〜約８００ｎｍの可視スペクトルの放射によって、光漂白を目的とする二酸化チタンが活性化され得る。二酸化チタンは、約１０ｎｍ〜約１２００ｎｍの波長を有する放射線で放射される際でも、光漂白剤として機能し得る。ヒトが曝されてしまう危険性があるという問題によって、紫外線スペクトルの放射は、魅力が少ないものとなり得る。
【００３８】
処理組成物２０は、処理組成物２０の約０．００００００１重量％〜約２５重量％に及ぶ量で二酸化チタンを含み得る。処理組成物２０は、処理組成物２０の約０．００５重量％〜約５重量％に及ぶ量で二酸化チタンを含み得る。処理組成物２０は、界面活性剤、香料、安定剤、ビルダー、漂白剤、消毒剤、酵素、灰色化防止剤、光沢剤などが挙げられるが、それらに限定されない他の構成要素を含み得る。
【００３９】
二酸化チタンは、約２ｎｍ〜約６００ｎｍ、又は更には約１００ｎｍ〜約４００ｎｍ、又は更には約２ｎｍ〜約８０ｎｍの粒径を有し得る。二酸化チタンは、約５０ｍ2／ｇ〜約４００ｍ2／ｇの比表面積を有し得る。二酸化チタンのバルク密度は、約１００ｇ／Ｌ〜約８００ｇ／Ｌであり得る。二酸化チタンは、約０．０１重量％〜約５重量％の炭素含有量を有する、炭素修飾二酸化チタンであり得る。
【００４０】
処理組成物２０は、液体、ゲル、エマルション、懸濁液、エアロゾル、又は他の形態でもたらされ得る。
【００４１】
光活性剤
処理組成物１００は、光活性剤である光活性構成要素を含み得る。光活性剤は、光活性部分と親水性部分を含み得る。光活性剤は、約３５重量％未満の光活性部分を含み得る。光活性剤は、約３５０ｎｍ〜約７５０ｎｍ、好ましくは約３５０ｎｍ〜約４２０ｎｍの吸収帯を有し得る。
【００４２】
光活性剤は以下の式を有し得る：
【００４３】
【化１】
2017512628.tif 000003
式中、
Ｘは、Ｃ、Ｏ、ＮＨ、Ｃ＝Ｏ、ＣＨ2、ＣＨＲ''、ＣＲ''Ｒ'''、Ｓ、ＳＯ、及びＳＯ2からなる群から選択され；
Ｙは、Ｃ、Ｏ、ＮＨ、Ｃ＝Ｏ、ＣＨ2、ＣＨＲ''、ＣＲ''Ｒ'''、Ｓ、ＳＯ、及びＳＯ2からなる群から選択され；
Ｒ'、Ｒ''及びＲ'''は、−Ｈ、又は酸素、窒素、硫黄、ハロゲン及び炭化水素からなる群から選択される部分を含む置換基の群から選択されてよく；
Ｒ'、Ｒ''又はＲ'''のうちの少なくとも１つは、更に親水性部分Ｒを含み；
Ｒは、水溶性オリゴマー、水溶性ポリマー及び水溶性コポリマーからなる群から選択され；
ｍは０〜８の整数であり、及び、
置換基Ｒ'、Ｒ''及びＲ'''の総分子量は、４００原子質量単位（ＡＭＵ）を超える。
【００４４】
本発明の光活性剤は、光活性部分と親水性部分を含み得る。本発明の目的において、用語「親水性部分」は、水に引き付けられ、水に溶解して均質溶液を形成する部分を指す。１つの実施形態では、親水性部分は、水溶性オリゴマー、水溶性ポリマー及び水溶性コポリマーからなる群から選択される。別の実施形態では、親水性部分は、アルキレンオキシドオリゴマー、アルキレンオキシドポリマー、アルキレンオキシドコポリマー、エチレングリコール、ビニルアルコール、ビニルピロリドン、アクリル酸、メタクリル酸、アクリルアミド、セルロース、カルボキシメチルセルロース、キトサン、デキストラン、ポリサッカライド、２−エチル−２−オキサゾリン、ヒドロキシエチルメタクリレート、ビニルピリジン−Ｎ−オキシド、ジアリルジメチルアンモニウムクロライド、マレイン酸、リシン、イソプロピルアクリルアミド、スチレンスルホン酸、ビニルメチルエーテル、ビニルホスホン酸（phosphoinic acid）、エチレンイミン、及びこれらの混合物からなる群から選択され得る。１つの実施形態では、親水性部分は、アルキレンオキシドオリゴマー、アルキレンオキシドオリゴマーコポリマー、ビニルアルコール、ビニルピロリドン、アクリル酸、アクリルアミド、セルロース、及びこれらの混合物からなる群から選択され得る。
【００４５】
本発明の目的において、用語「光活性部分」は、光の光子を吸収するために、励起状態（一重項又は三重項）を形成することができる有機共役部分を指す。しかしながら、用語「光活性部分」は、電荷移動励起状態を指さないことが理解されるであろう。更には、本明細書に開示されるように、光活性部分は、当該技術分野で既知の通り、１つの部分、又は２つ、３つ、４つ、又は他の任意数の部分の組み合わせを含み得る。光活性部分は、キサントン、キサンテン、チオキサントン、チオキサンテン、フェノチアジン、フルオレセイン、ベンゾフェノン、アロキサジン、イソアロキサジン、フラビン、及びこれらの混合物からなる群から選択され得る。
【００４６】
好適な光活性剤は、題目「ＰＨＯＴＯＡＣＴＩＶＡＴＯＲＳ」（代理人整理番号：１３０５８Ｐ）で、２０１４年１月２４日に出願された米国特許出願第６１／９３０，９９９号に記載されている。
【００４７】
光触媒組成物
処理組成物は、先述したような光活性剤、及び有益活性剤前駆体を含む、光触媒組成物を含み得る。有益活性剤前駆体は、上述の光活性漂白剤（例えば、二酸化チタン）と置き換えるか、又は光活性漂白剤に加えて使用され得る。処理組成物は、水溶液であり得る。
【００４８】
有益活性剤前駆体は、亜塩素酸塩、塩素酸塩、亜臭素酸塩、臭素酸塩、亜ヨウ素酸塩、ヨウ素酸塩、又はこれらの混合物などのオキシハライドから選択され得る。１つの実施形態では、有益活性剤前駆体は、亜塩素酸塩であり得る。有益活性剤前駆体は、亜塩素酸塩（ＮａＣｌＯ2）であり得る。この実施形態では、電子が光活性化光触媒まで運ばれることで亜塩素酸塩が活性化され、有益活性二酸化塩素（ＣｌＯ2）が形成される。二酸化塩素は、殺生物剤及び漂白剤としての潜在能がある。二酸化塩素は、細胞壁の全体への栄養物の移動を阻害することで、微生物を殺す。塩の他、様々な他の前駆体の形態が想定される。
【００４９】
光触媒組成物は、電子受容体を含み得る。本発明の目的において、用語「電子供与体」は、光活性剤が光励起状態及び／又は一電子還元状態にある際、光活性剤から電子を受け取る化合物又は部分として定義される。この電子移動プロセスは、通常非常に迅速で可逆性プロセスである。
【００５０】
励起した光活性剤から電子を受容する電子授与体の能力は、一般的に、Ｔｕｒｒｏ，Ｎ．Ｊ．，Ｖ．Ｒａｍａｍｕｒｔｈｙ、及びＪ．Ｃ．Ｓｃａｉａｎｏによる「Ｐｒｉｎｃｉｐｌｅｓ  ｏｆ  Ｍｏｌｅｃｕｌａｒ  Ｐｈｏｔｏｃｈｅｍｉｓｔｒｙ：Ａｎ  Ｉｎｔｒｏｄｕｃｔｉｏｎ」（７章、４１頁）（Ｕｎｉｖｅｒｓｉｔｙ  Ｓｃｉｅｎｃｅ  Ｂｏｏｋｓ  ２００９，Ｐａｐｅｒｂａｃｋ  ｅｄｉｔｉｏｎ）に記載されている。ギブズ自由エネルギー（ΔＧ）は０未満である時に反応体間が反応するのが好ましいことが理解される。
【００５１】
本発明の電子受容体は、光活性剤が光励起状態及び／又は還元状態にある際に、光活性剤から電子を受容する任意の種類であり得る。電子受容体は、光触媒消費者製品組成物中に、光活性剤とブラウン衝突するのに十分な濃度で存在し、光活性剤の濃度、及び光活性剤の光化学励起状態の保持時間が与えられねばならない。
【００５２】
好適な電子受容体は：ビオロゲン、２，２'ビピリジニウム、パラ−ベンゾキノン、２，３−ジクロロ−５，６−ジシアノ−ｐ−ベンゾキノン、テトラヒドロキシ−１，４−キノン水和物、２，５−ジ−ｔｅｒｔ−ブチルヒドロキノン、ｔｅｒｔ−ブチルヒドロキノン、アントラキノン、ジアミノアントラキノン、アントラキノン−２−スルホン酸、アントラセン、ジシアノベンゼン、クロロペンタアミンコバルトジクロライド、硝酸銀、硫酸鉄、二酸化チタン、酸化亜鉛、セレン化カドミウム、塩酸チアミン、チアミンピロリン酸、過硫酸ナトリウム、過硫酸カリウム、（２，２，６，６−テトラメチルピペリジン−１−イル）オキシ、ジメチルチオウレア、テトラニトロメタン、アセト酢酸リチウム、オキサロ酢酸、アスコルビン酸ナトリウム、２，６−ジクロロフェノールインドフェノール、４−メトキシフェノール、４−メチルモルホリンＮ−オキシド、４−ｔｅｒｔ−ブチルカテコール、アロプリノール、ピリドキサール５'−リン酸、塩酸ピリドキサール、安息香酸ナトリウム、硝酸ナトリウム、亜硝酸ナトリウム、二原子酸素、及びこれらの混合物からなる群から選択され得る。
【００５３】
好適な有益活性剤前駆体及び好適な電子受容体などの好適な光触媒組成物は、２０１４年１月２４日に出願された、題目「ＣＯＮＳＵＭＥＲ  ＰＲＯＤＵＣＴ  ＣＯＭＰＯＳＩＴＩＯＮＳ」（代理人整理番号：１３０５７Ｐ）の米国特許出願番号第６１／９３０，９９３号、に記載されている。
【００５４】
処理組成物２０は、約０．０００１重量％〜約５重量％、あるいは約０．０００５重量％〜約３重量％、あるいは約０．００１重量〜約１重量％の光活性剤を含み得る。処理組成物２０は、約０．０１重量％〜約１０重量％、あるいは約０．１重量％〜約８重量％、あるいは約０．５重量〜約５重量％の有益活性剤前駆体を含み得る。
【００５５】
処理の方法
光活性化学反応は、表面の処理に用いられ得る。非限定例としては、表面は、調理台、床、室内装飾品、器具、トイレ、織物、デッキ、浴槽、デスクトップ、自動車の内装、自動車の外装、又は処理が必要とされる他の表面であり得る。
【００５６】
表面を処理する方法であって、この方法は：光活性剤を含む処理組成物２０を容器１７０内に収容するパッケージ１０を提供する工程；処理組成物２０を処理されるべき表面上に分配する工程；接合部においてパッケージに機能的に接続された発光体を用いて、処理組成物２０が容器から出た後であるが、処理組成物２０がパッケージから出る前の時点、処理組成物２０がパッケージ１０から出た後ではあるが、処理組成物２０が表面上に沈着する前の時点、及び処理組成物２０が表面上に沈着した後の時点、からなる群から選択される時点において、処理組成物２０に光照射する工程；を含む。
【００５７】
本明細書で開示する寸法及び値は、列挙された正確な数値に厳密に限られるとして理解されるべきではない。むしろ、特に断らないかぎり、そのような各寸法は、記載された値及びその値の周辺の機能的に同等の範囲の両方を意味するものとする。例えば、「４０ｍｍ」として開示される寸法は、「約４０ｍｍ」を意味することを意図する。
【００５８】
本明細書で引用されているあらゆる文献は、あらゆる相互参照特許又は関連特許を含め、明示的に除外されたり、別段に限定されたりしている場合を除き、その全体が参照により本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００５９】
以上、本発明の特定の諸実施形態を図示、説明したが、本発明の趣旨及び範囲から逸脱することなく他の様々な変更及び改変を行いうる点は当業者には自明であろう。したがって、本発明の範囲内に含まれるそのような全ての変更及び修正は、添付の特許請求の範囲にて網羅することを意図したものである。
【図１】
2017512628.tif 000004
【図２】
2017512628.tif 000005
【図３】
2017512628.tif 000006
【国際調査報告】
2017512628.tif 000007
2017512628.tif 000008